(57)【特許請求の範囲】
【請求項１】
携帯端末と通信可能な印刷装置であって、
前記携帯端末との間の距離が所定の通信可能距離内となることで確立される近距離無線通信を含む、１又は複数の通信方式によって当該携帯端末との間でデータ通信を行うための通信部と、
印刷データを記憶可能な装置側記憶部と、
印刷データに基づいて、媒体への印刷を行うための印刷部と、
ユーザに対する情報の出力、及び、ユーザからの入力を受け付けるためのユーザインターフェースと、
前記通信部、前記印刷部、及び前記ユーザインターフェースを制御するための制御部であって、通常モードと、前記通常モードよりも消費電力が少ないスリープモードとに前記印刷装置の動作モードを切り替え可能であり、印刷終了条件を含む少なくとも１つの条件から構成されるスリープ条件が成立したときに前記動作モードを前記通常モードから前記スリープモードに切り替える制御部と、
を備え、
前記制御部は、
前記通信部を制御して、前記通信可能距離外にある前記携帯端末が前記通信可能距離内に移動したことを検出したときに、当該携帯端末との間で前記近距離無線通信を確立する無線通信確立処理と、
前記無線通信確立処理により前記近距離無線通信が確立した前記携帯端末が、印刷データを記憶可能な端末側記憶部を備えた第１端末であるか、前記端末側記憶部を備えていない第２端末であるかを判断する端末判断処理と、
前記端末判断処理により前記携帯端末が前記第１端末であると判断した場合に、前記通信部を制御して、前記１又は複数の通信方式の何れかにより、前記端末側記憶部に記憶された印刷データを前記第１端末から受信する受信処理と、
前記受信処理により前記第１端末から受信した印刷データに基づいて、媒体への印刷を行うよう前記印刷部を制御する第１印刷処理と、
前記通信部を制御して、前記第１印刷処理の後、前記第１端末が未だ前記通信可能距離内にあるか否かを検出する検出処理と、
前記検出処理により前記第１端末が未だ前記通信可能距離内であると検出した場合に、前記印刷部に新たに印刷を行わせる印刷データが当該第１端末の前記端末側記憶部に記憶されているか否かをユーザに問い合わせる問合情報を前記ユーザインターフェースに出力させ、当該ユーザインターフェースを介したユーザからの入力を受け付ける問合処理と、
前記問合処理において、前記端末側記憶部に前記印刷部に新たに印刷を行わせる印刷データが記憶されていないと前記ユーザインターフェースを介したユーザからの入力を受け付けた場合には、当該問合処理においてユーザが他の対応をした場合と比べて早く前記印刷終了条件が成立したと判断する第１成立処理と、
前記検出処理により前記第１端末が前記通信可能距離内にはないと検出した場合に、前記印刷終了条件が成立したと判断する第２成立処理と、
前記端末判断処理により前記携帯端末が前記第２端末であると判断した場合に、前記印刷部に印刷を行わせる印刷データが前記装置側記憶部に記憶されているか否かを判断するデータ有無判断処理と、
前記データ有無判断処理により前記印刷部に印刷を行わせる印刷データが前記装置側記憶部に記憶されていると判断した場合に、当該印刷データに基づいて、媒体への印刷を行うよう前記印刷部を制御する第２印刷処理と、
前記データ有無判断処理により前記印刷部に印刷を行わせる印刷データが前記装置側記憶部に記憶されていないと判断した場合に、又は、前記第２印刷処理の後に、前記印刷終了条件が成立したと判断する第３成立処理と、
前記第１成立処理が実行された後に前記スリープ条件が成立したときに、前記第２成立処理が実行された後に前記スリープ条件が成立したときに、及び、前記第３成立処理が実行された後に前記スリープ条件が成立したときに、前記動作モードを前記通常モードから前記スリープモードに切り替える切替処理と、
を実行することを特徴とする印刷装置。
【請求項２】
前記装置側記憶部は、管理者権限を有するユーザのみ設定変更可能な管理者用設定内容を記憶しており
前記制御部は、
前記端末判断処理において、前記携帯端末が前記第２端末であると判断したときに、当該第２端末が、管理者権限が付与された管理者権限端末であるか否かをさらに判断し、
当該第２端末が前記管理者権限端末であると判断した場合には、
前記装置側記憶部の前記管理者用設定内容における、前記ユーザインターフェースを介したユーザからの入力による変更を許可する許可処理と、
前記許可処理の後、前記ユーザインターフェースを介したユーザからの入力を受け付けていない期間が第１所定期間以上継続した場合に、前記装置側記憶部の前記管理者用設定内容の変更を禁止する禁止処理と、
を実行することを特徴とする請求項１に記載の印刷装置。
【請求項３】
前記制御部は、
前記無線通信確立処理においては、前記通信部から第１電波強度の装置側ポーリング信号を出力させ、その反射信号に基づいて前記通信可能距離外にある前記携帯端末が前記通信可能距離内に移動したことを検出するものであり、
前記無線通信確立処理の後においては、前記通信部から前記第１電波強度よりも弱い第２電波強度で前記装置側ポーリング信号を出力させ、その反射信号に基づいて、前記携帯端末が前記通信可能距離外に移動したか否かを検出することを特徴とする請求項１又は２に記載の印刷装置。
【請求項４】
前記制御部は、
前記無線通信確立処理においては、前記通信部から装置側ポーリング信号を出力させ、その反射信号に基づいて前記通信可能距離外にある前記携帯端末が前記通信可能距離内に移動したことを検出する、及び、前記携帯端末から出力される端末側ポーリング信号の受信の有無に基づいて前記通信可能距離外にある前記携帯端末が前記通信可能距離内に移動したことを検出するものであり、
前記端末判断処理においては、前記無線通信確立処理により前記近距離無線通信が確立した前記携帯端末が、前記端末側ポーリング信号を出力する端末であるか否かも判断し、
前記携帯端末が前記端末側ポーリング信号を出力する端末であると判断したときには、
前記通信部からの前記装置側ポーリング信号の出力を停止させ、前記携帯端末から前記端末側ポーリング信号の受信が継続しているか否かに基づいて、前記携帯端末が前記通信可能距離外に移動したか否かを検出することを特徴とする請求項１〜３の何れか一項に記載の印刷装置。
【請求項５】
前記制御部は、
前記第１成立処理において、前記問合処理において前記ユーザインターフェースに前記問合情報を出力させてから第２所定期間経過するまでの間、当該ユーザインターフェースを介したユーザからの入力を受け付けなかった場合には、前記印刷終了条件が成立したと判断することを特徴とする請求項１〜４の何れか一項に記載の印刷装置。
【請求項６】
前記制御部は、
前記動作モードが前記スリープモードのときにおいて、
前記通信可能距離外にある前記携帯端末が前記通信可能距離内に移動したことを検出したときに、前記動作モードを前記スリープモードから前記通常モードに切り替えることを特徴とする請求項１〜４の何れか一項に記載の印刷装置。
【発明の詳細な説明】
【技術分野】
【０００１】
本発明は、印刷装置に関する。
【背景技術】
【０００２】
通信対象となる携帯端末との間の距離が所定の通信可能距離内となることで確立される近距離無線通信にて、当該携帯端末とデータ通信を行う印刷装置が知られている。この種の印刷装置には、例えば、ユーザが携帯端末を印刷装置に近接させて、近距離無線通信が確立したことを契機として、印刷を開始させるものがある。また、印刷装置には、省電力化の観点から、印刷を行わない際には、消費電力の少ないスリープモードに動作モードを切り替える印刷装置が知られている。
【０００３】
ところで、印刷が終了して、携帯端末との間の近距離無線通信が切断された後においても、携帯端末が通信可能距離内に放置されている場合には、再度、印刷装置と携帯端末との間で近距離無線通信が確立されてしまう可能性がある。従って、印刷装置と、通信可能距離内に放置されている携帯端末との間では、近距離無線通信の確立及び切断が繰り返し行われる可能性がある。その結果として、印刷が終了しているにも関わらず、近距離無線通信の確立及び切断が繰り返されることで、動作モードをスリープモードに切り替えることができない場合があり得る。
【０００４】
ここで、特許文献１には、上記のようなデバイス間の近距離無線通信（近接無線通信）に係る不要な接続を抑制することが可能な電子機器が記載されている。具体的には、この電子機器では、外部デバイスとの接続が切断された後、外部デバイスによって所定期間毎に接続要求信号が送信されている場合に、この接続要求信号の受信が途切れた非受信期間が、上記所定期間よりも長いしきい値以上継続するまで外部デバイスとの接続を抑制する。そして、この電子機器では、非受信期間がしきい値期間以上継続した後、接続要求信号を受信したときに外部デバイスとの接続を許可する。これにより、外部デバイスとの不要な接続を抑制している。
【０００５】
印刷装置において、この特許文献１に記載された技術を利用すると、携帯端末との近距離無線通信による不要な接続を抑制することができ、その結果として、携帯端末が通信可能距離内に放置されている場合でも、動作モードをスリープモードに移行することができる。
【先行技術文献】
【特許文献】
【０００６】
【特許文献１】特許第５３９８８００号公報
【発明の概要】
【発明が解決しようとする課題】
【０００７】
ところで、印刷装置の通信対象となる携帯端末には、印刷データを記憶可能な携帯電話や、印刷データを記憶できないカード端末など、複数種の携帯端末がある。印刷装置に、上記特許文献１に記載された技術を採用した場合、動作モードをスリープモードに切り替えることは可能となるが、その切り替えるタイミングは、携帯端末の種類等に関わらず一律となる。そのため、携帯端末の種類等によっては、スリープモードに切り替えるタイミングが適切なタイミングではない可能性が生じ得る。
【０００８】
加えて、上記特許文献１に記載された技術では、外部デバイスが自ら電波を発するアクティブタイプのデバイスしか想定しておらず、自ら電波を発しないパッシブタイプのデバイスについては想定していない。従って、この特許文献１に採用された技術を採用したとしても、印刷装置との間で近距離無線通信を行う携帯端末がパッシブタイプの端末である場合には、依然として、印刷装置と携帯端末との間で近距離無線通信による不要な接続が行われることになる。その結果として、パッシブタイプの携帯端末が通信可能距離内で放置された場合には、印刷装置は動作モードをスリープモードに切り替えることができない。
【０００９】
本発明の目的は、携帯端末が放置されている場合でも、動作モードをスリープモードに適切なタイミングで切り替えることが可能な印刷装置を提供することである。
【課題を解決するための手段】
【００１０】
上記の課題を解決するために、本発明の印刷装置は、携帯端末と通信可能な印刷装置であって、前記携帯端末との間の距離が所定の通信可能距離内となることで確立される近距離無線通信を含む、１又は複数の通信方式によって当該携帯端末との間でデータ通信を行うための通信部と、印刷データを記憶可能な装置側記憶部と、印刷データに基づいて、媒体への印刷を行うための印刷部と、ユーザに対する情報の出力、及び、ユーザからの入力を受け付けるためのユーザインターフェースと、前記通信部、前記印刷部、及び前記ユーザインターフェースを制御するための制御部であって、通常モードと、前記通常モードよりも消費電力が少ないスリープモードとに前記印刷装置の動作モードを切り替え可能であり、印刷終了条件を含む少なくとも１つの条件から構成されるスリープ条件が成立したときに前記動作モードを前記通常モードから前記スリープモードに切り替える制御部と、を備え、前記制御部は、前記通信部を制御して、前記通信可能距離外にある前記携帯端末が前記通信可能距離内に移動したことを検出したときに、当該携帯端末との間で前記近距離無線通信を確立する無線通信確立処理と、前記無線通信確立処理により前記近距離無線通信が確立した前記携帯端末が、印刷データを記憶可能な端末側記憶部を備えた第１端末であるか、前記端末側記憶部を備えていない第２端末であるかを判断する端末判断処理と、前記端末判断処理により前記携帯端末が前記第１端末であると判断した場合に、前記通信部を制御して、前記１又は複数の通信方式の何れかにより、前記端末側記憶部に記憶された印刷データを前記第１端末から受信する受信処理と、前記受信処理により前記第１端末から受信した印刷データに基づいて、媒体への印刷を行うよう前記印刷部を制御する第１印刷処理と、前記通信部を制御して、前記第１印刷処理の後、前記第１端末が未だ前記通信可能距離内にあるか否かを検出する検出処理と、前記検出処理により前記第１端末が未だ前記通信可能距離内であると検出した場合に、前記印刷部に新たに印刷を行わせる印刷データが当該第１端末の前記端末側記憶部に記憶されているか否かをユーザに問い合わせる問合情報を前記ユーザインターフェースに出力させ、当該ユーザインターフェースを介したユーザからの入力を受け付ける問合処理と、前記問合処理において、前記端末側記憶部に前記印刷部に新たに印刷を行わせる印刷データが記憶されていないと前記ユーザインターフェースを介したユーザからの入力を受け付けた場合には、当該問合処理においてユーザが他の対応をした場合と比べて早く前記印刷終了条件が成立したと判断する第１成立処理と、前記検出処理により前記第１端末が前記通信可能距離内にはないと検出した場合に、前記印刷終了条件が成立したと判断する第２成立処理と、前記端末判断処理により前記携帯端末が前記第２端末であると判断した場合に、前記印刷部に印刷を行わせる印刷データが前記装置側記憶部に記憶されているか否かを判断するデータ有無判断処理と、前記データ有無判断処理により前記印刷部に印刷を行わせる印刷データが前記装置側記憶部に記憶されていると判断した場合に、当該印刷データに基づいて、媒体への印刷を行うよう前記印刷部を制御する第２印刷処理と、前記データ有無判断処理により前記印刷部に印刷を行わせる印刷データが前記装置側記憶部に記憶されていないと判断した場合に、又は、前記第２印刷処理の後に、前記印刷終了条件が成立したと判断する第３成立処理と、前記第１成立処理が実行された後に前記スリープ条件が成立したときに、前記第２成立処理が実行された後に前記スリープ条件が成立したときに、及び、前記第３成立処理が実行された後に前記スリープ条件が成立したときに、前記動作モードを前記通常モードから前記スリープモードに切り替える切替処理と、を実行することを特徴とする。
【００１１】
上記の構成によれば、近距離無線通信が確立した携帯端末が第１端末であり、当該第１端末が第１印刷処理の後も通信可能距離内に未だある場合において、印刷装置は、当該第１端末に印刷部に印刷させる新たな印刷データが記憶されているか否かを判断することができない。このため、印刷装置の判断だけでは印刷終了条件が成立したか否かを判断することができず、その結果として、動作モードを通常モードからスリープモードに切り替えることができない。そこで、この場合においては、ユーザに問い合わせを行う。そして、印刷部に印刷させる印刷データがないとユーザからの入力を受け付けた場合には、この問い合せにおいてユーザが他の対応をした場合と比べて早めに印刷終了条件が成立したと判断する。
一方で、近距離無線通信が確立した携帯端末が第２端末である場合には、印刷装置の判断だけで、印刷部に印刷を行わせる印刷データが印刷装置内に記憶されているか否かを判断することができる。従って、第２印刷処理の後、及び、データ有無判断処理により印刷部に印刷を行わせる印刷データが印刷装置に記憶されていないと判断した場合には、印刷終了条件が成立したと判断することができる。
以上により、本発明では、携帯端末のタイプがアクティブタイプ及びパッシブタイプの何れにおいても、スリープ条件を構成する１つの条件である印刷終了条件が成立したことを適切なタイミングで判断することができ、その結果として、動作モードをスリープモードに適切なタイミングで切り替えることが可能となる。
【発明の効果】
【００１２】
本発明によると、印刷装置の動作モードを、スリープモードに適切なタイミングで切り替えることができる。
【図面の簡単な説明】
【００１３】
【図１】複合機の外観斜視図である。
【図２】図１に示す複合機の電気的構成図である。
【図３】（ａ）は携帯電話の電気的構成図であり、（ｂ）はＩＣカードの電気的構成図である。
【図４】複合機の動作フロー図である。
【図５】複合機の動作フロー図である。
【図６】複合機の動作フロー図である。
【図７】複合機の動作フロー図である。
【発明を実施するための形態】
【００１４】
以下、本発明の印刷装置を複合機（ＭＦＰ：Ｍｕｌｔｉ  Ｆｕｎｃｔｉｏｎ  Ｐｅｒｉｐｈｅｒａｌ）１に適用して、図面を参照しつつ説明する。
【００１５】
図１及び図２に示すように、複合機１は、印刷機能や画像読取機能（スキャナ機能）を有する印刷装置である。この複合機１は、携帯電話１００（第１端末）やＩＣカード１５０（第２端末）などの携帯端末２００との間で、ＮＦＣ（Near Field Communication）規格の通信方式による近距離無線通信（以下、ＮＦＣ通信と称す。）を実行可能である。ＮＦＣ規格は、ＩＳＯ／ＩＥＣ２１４８１又はＩＳＯ／ＩＥＣ１８０９２の国際標準規格である。ＮＦＣ通信は、１３．５６ＭＨｚ帯の電波を利用した無線通信である。また、複合機１と携帯電話１００との間では、ＮＦＣ通信とは異なる無線通信方式を利用して、無線通信を実行可能である。本実施形態では、中継装置であるアクセスポイントを介さない無線通信方式の１種であるＷｉ−Ｆｉ（Wireless Fidelity）ダイレクト方式の無線通信（以下、ＷＦＤ通信）を実行可能である。
【００１６】
なお、ＩＣカード１５０の種類として、管理者権限が付与された管理者用のＩＣカードと、セキュア印刷用のＩＣカードとがある。
【００１７】
ＮＦＣ通信は、１０ｃｍ程度の極近距離を通信可能距離とする近距離無線通信であり、送信元及び受信元の装置を近接（又は接触）させることで通信が確立される。また、ＮＦＣ通信は、ＷＦＤ通信と比べて、通信速度が遅いため、比較的小容量のデータの通信に用いられる。なお、ＮＦＣ通信の場合、その通信可能距離の物理的制限から通信相手の特定が容易であり、その分、通信の確立が、ＷＦＤ通信の場合よりも容易である。例えば、複合機１と携帯電話１００との間でＮＦＣ通信を確立させる際には、ユーザが通信相手となる複合機１に携帯電話１００を近接させる必要があるが、その行為自体が通信相手を指定することになり、ＮＦＣ通信が確立される。
【００１８】
一方、ＷＦＤ通信は、通信可能距離が数メートル〜数十メートル程度のローカルな無線通信である。ここで、ＷＦＤ通信は、無線ネットワークを構築し、その無線ネットワーク内でデータの受け渡しを可能にする通信方式である。そのため、送信元及び受信元の装置間でデータ通信を行うには、ＷＦＤネットワークを構築する必要がある。
本実施形態では、複合機１と携帯電話１００との間でＮＦＣ通信が確立されたときに、ＷＦＤ通信を確立させるための接続情報を、複合機１と携帯電話１００との間で送受信する。そして、この接続情報に基づいて、複合機１と携帯電話１００との間でＷＦＤ通信を確立（所謂、ハンドオーバー）するように構成されている。
【００１９】
複合機１は、図１に示すように、略直方体形状に形成された筐体１ａを有する。そして、複合機１は、図２に示すように、画像記録機構１１（印刷部）、画像読取機構１２、ユーザインターフェース１３、通信インターフェース１４、及び、これらを制御する制御装置５０を備えている。
【００２０】
画像記録機構１１は、インクジェット方式やレーザ方式の画像記録機構であり、制御装置５０からの指示に従い、用紙等の記録媒体に対して、印刷データに基づく画像を印刷する印刷処理を行う。画像読取機構１２はＣＣＤやＣＩＳ等の画像読取機構であり、制御装置５０からの指示に従い、用紙等の記録媒体に記録された画像を読み取る画像読取処理を行う。
【００２１】
ユーザインターフェース１３は、ユーザに対する情報の出力、及び、ユーザからの入力を受け付けるためのインターフェースであり、操作キー１３ａ及びディスプレイ１３ｂを備えている。操作キー１３ａは、ユーザからの入力を受け付けて、制御装置５０に出力する。ディスプレイ１３ｂは、制御装置５０からの指示に従い、種々の情報を表示する。
【００２２】
通信インターフェース１４は、無線又は有線により、携帯端末２００やＰＣなどの外部端末とデータの送受信を行うためのインターフェースである。通信インターフェース１４には、無線ネットワークインターフェース１６（以下、無線ネットワークＩ／Ｆ１６）、ＮＦＣインターフェース１７（以下、ＮＦＣ  Ｉ／Ｆ１７）、及び有線ネットワークインターフェース１８（以下、有線ネットワークＩ／Ｆ１８）が含まれる。
【００２３】
無線ネットワークＩ／Ｆ１６は、ＷＦＤ通信を実行するためのＷＦＤネットワークに接続するインターフェースである。このＷＦＤネットワークは、例えば、ＩＥＥＥの８０２．１１の規格及びそれに準ずる規格に基づく無線ネットワークである。
【００２４】
ＮＦＣ  Ｉ／Ｆ１７は、ＮＦＣ通信を実行するためのインターフェースであり、ＮＦＣ制御回路２１、通信回路２２、及びアンテナ２３を備えている。ＮＦＣ制御回路２１は、ＮＦＣ  Ｉ／Ｆ１７全体の動作を管理する回路である。このＮＦＣ制御回路２１には、通信回路２２を介してアンテナ２３が接続されている。アンテナ２３は、電波として磁界を送受信する磁界アンテナ（例えば、ループアンテナ）であって、図１に示すように、筐体１ａの天板に配置されている。
【００２５】
通信回路２２は、ＮＦＣ制御回路２１から出力される送信データを、符号化及び変調した後、増幅して、アンテナ２３へ出力する。なお、送信データの増幅率については、ＮＦＣ制御回路２１を介した制御装置５０の指令に応じて変更される構成となっている。このため、制御装置５０は、アンテナ２３から出力される電波の電波強度を調整することができる。
【００２６】
また、通信回路２２は、アンテナ２３が受信した受信信号を、復調及び複号化してＮＦＣ制御回路２１に出力する。このとき、通信回路２２は、アンテナ２３が受信した受信信号の受信強度を測定して、その測定結果をＮＦＣ制御回路２１に出力する。制御装置５０は、ＮＦＣ制御回路２１を介してアンテナ２３が受信した電波の受信強度を取得することができる。
【００２７】
有線ネットワークＩ／Ｆ１８は、ＬＡＮ回線を介して、ハブ機能を有するルータ（不図示）に接続されている。そして、有線ネットワークＩ／Ｆ１８は、このルータを介して、同一のネットワーク上にあるＰＣとの間でデータ通信を行うことができる。また、有線ネットワークＩ／Ｆ１８は、このルータを介してインターネット上にあるサーバなどの外部装置との間でデータ通信を行うことができる。
【００２８】
制御装置５０は、ＣＰＵ５１と、メモリ５２（装置側記憶部）とを有している。メモリ５２は、ＲＯＭ、ＲＡＭ、フラッシュメモリ等によって構成されており、ＣＰＵ５１によって実行されるプログラムが記憶されている。メモリ５２は、各種プログラムが読み出される作業領域として、或いはデータを一時的に記憶する記憶領域として利用される。また、メモリ５２には、外部端末等から受信したセキュア印刷用の印刷データが、ユーザ認証情報と対応付けられて記憶されている。
【００２９】
メモリ５２に記憶されたＮＦＣ通信に関するプログラムには、Ｐ２Ｐ（Peer to Peer）モードに従った処理を行うためのＰ２Ｐプログラム、ＣＥ（Card Emulation）モードに従った処理を行うためのＣＥプログラム、及び、Ｒ／Ｗモードに従った処理を行うためのＲ／Ｗプログラムを含む。
【００３０】
Ｐ２Ｐモードは、ＮＦＣ通信を実行可能な機器（以下、ＮＦＣ機器）の間で双方向通信を実行するためのモードである。ＣＥモードは、ＮＦＣ機器がＮＦＣフォーラムによって定められた形式である「カード」として動作するためのモードである。Ｒ／Ｗモードは、ＣＥモードで動作するＮＦＣ機器からデータを読み込むためのＲｅａｄｅｒモード、及びＣＥモードで動作するＮＦＣ機器にデータを書き込むためのＷｒｉｔｅｒモードを含む。本実施形態では、複合機１及び携帯電話１００は、Ｐ２Ｐモード、ＣＥモード、及び、Ｒ／Ｗモードの３つのモードを全て利用可能な機器である。これに対して、ＩＣカード１５０は、ＣＥモードのみ利用可能な機器である。
【００３１】
また、メモリ５２には、管理者権限が付与されたユーザのみ設定変更可能な管理者用設定内容、及び管理者認証情報が記憶されている。管理者用設定内容とは、例えば、複合機１を利用可能なユーザの設定や、各ユーザの印刷枚数の上限値の設定など、通常のユーザが設定することができない高度な設定である。本実施形態では、管理者権限が付与されたユーザが所持する管理者用のＩＣカード１５０が、ＮＦＣ  Ｉ／Ｆ１７のアンテナ２３にかざされることでＮＦＣ通信が確立したときに、管理者認証情報に係る認証が行われる。この認証が行われることにより、メモリ５２に記憶された管理者用設定内容を、操作キー１３ａを介したユーザの入力により変更可能となる。
【００３２】
また、本実施形態では、複合機１の印刷モードとして、通常印刷と、セキュア印刷とがある。通常印刷は、外部端末などから受信した印刷データを、ユーザを未認証のまま印刷を実行する印刷モードである。一方で、セキュア印刷は、外部端末などから受信した印刷データを、ユーザ認証を行った後に、印刷を実行するモードである。本実施形態では、セキュア印刷モードにおけるユーザ認証は、印刷データの発信者であるユーザが所持するＩＣカード１５０が、ＮＦＣ  Ｉ／Ｆ１７のアンテナ２３にかざされることでＮＦＣ通信が確立されたときに行われる。
【００３３】
次に、複合機１の通信対象となる携帯電話１００について説明する。携帯電話１００は、図３（ａ）に示すように、電話モジュール１０１、タッチパネル１０２、無線ネットワークＩ／Ｆ１０６、ＮＦＣ  Ｉ／Ｆ１０７、及びこれらを制御する制御装置１２０を備えている。
【００３４】
電話モジュール１０１は、電話基地局との間で、携帯電話通信の方式に準拠する無線通信を行う。タッチパネル１０２は、ユーザへの情報の表示、及び、ユーザからの入力の受付を行う。
【００３５】
無線ネットワークＩ／Ｆ１０６は、複合機１の無線ネットワークＩ／Ｆ１６と同様に、ＷＦＤ通信を可能にするインターフェースである。ＮＦＣ  Ｉ／Ｆ１０７は、複合機１のＮＦＣ  Ｉ／Ｆ１７と同様に、ＮＦＣ通信を可能にするインターフェースである。なお、携帯電話１００は、ＮＦＣ  Ｉ／Ｆ１０７から、内蔵された電池の電力を用いて電波（端末側ポーリング信号）を発することが可能なアクティブタイプの携帯端末である。
【００３６】
制御装置１２０は、ＣＰＵ１２１と、メモリ１２２（端末側記憶部）とを備えている。メモリ１２２は、複合機１に印刷させる印刷データを記憶可能である。また、メモリ１２２には、複合機１に種々の処理（例えば、印刷処理）を実行させるためのアプリケーションプログラム（以下、アプリ）がインストールされている。携帯電話１００は、このアプリが起動されている状態で、複合機１との間でＮＦＣ通信が確立されたときに、複合機１に対して種々の処理を実行させることが可能となる。例えば、印刷処理を実行させるためのアプリを起動して、タッチパネル１０２によりメモリ１２２に記憶された印刷データの何れかをユーザが選択する。この状態で、携帯電話１００と複合機１との間でＮＦＣ通信が確立されると、複合機１において、当該選択された印刷データに係る印刷処理が実行される。
【００３７】
次に、複合機１の通信対象となるＩＣカード１５０について説明する。ＩＣカード１５０は、図３（ｂ）に示すように、メモリ１５１、ＮＦＣ制御回路１５２、変調回路１５３、復調回路１５４、アンテナ１５５、及び電源発生回路１５６を備えている。電源発生回路１５６は、アンテナ１５５で受信した電波から電源電圧を生成する回路である。ＩＣカード１５０は、この電源発生回路１５６により生成された電源電圧に基づいて動作する。このようにＩＣカード１５０は、電池を内蔵しておらず、ＮＦＣ通信をする際に、アンテナ１５５が受信した電波をエネルギー源として電波を発するパッシブタイプの携帯端末である。
【００３８】
メモリ１５１には、複合機１との間で認証をする際に用いられる認証情報等の各種のデータが記憶されている。具体的には、セキュア印刷用のＩＣカード１５０には、ユーザ認証情報が記憶されている。また、管理者用のＩＣカード１５０には、管理者認証情報が記憶されている。なお、メモリ１５１は、携帯電話１００のメモリ１２２よりも記憶容量が少なく、印刷データなど容量の大きいデータについては記憶することができない。
【００３９】
復調回路１５４は、アンテナ１５５が受信した受信信号を、復調及び複号化してＮＦＣ制御回路１５２に出力する。ＮＦＣ制御回路１５２は、復調回路１５４から受信した信号に基づいてメモリ１５１へのデータ書込みや、メモリ１５１から読み出したデータを変調回路１５３に出力する。変調回路１５３は、ＮＦＣ制御回路１５２から受信したデータを符号化及び変調して、アンテナ１５５に出力する。
【００４０】
以上の構成により、ＩＣカード１５０は、複合機１との間でＮＦＣ通信が確立されたとき、複合機１との間で認証情報等のデータを送受信することが可能となる。例えば、ユーザがセキュア印刷用のＩＣカード１５０をＮＦＣ  Ｉ／Ｆ１７のアンテナ２３に近接させると、このＩＣカード１５０と複合機１との間で、確立されたＮＦＣ通信を通じてユーザ認証情報のデータ送受信が行われる。その結果として、複合機１において、メモリ５２に記憶された印刷データのうちの、このユーザ認証情報に対応付けられた印刷データの印刷処理が実行される。
【００４１】
ここで、本実施形態では、複合機１のＣＰＵ５１は、通常モードと、スリープモードとの間で複合機１の動作モードを切り替え可能に構成されている。スリープモードは、画像記録機構１１や画像読取機構１２への通電がオフにされた、通常モードよりも消費電力が少ない動作モードである。なお、このスリープモードでも、通信インターフェース１４に対しては通電がされており、通信機能は有効（所謂、ネットワークスタンバイ状態）になっている。
【００４２】
動作モードを通常モードからスリープモードに切り替えるためのスリープ条件は、印刷終了条件、読取終了条件、ネットワーク条件を含む複数の条件から構成されている。そして、ＣＰＵ５１は、スリープ条件を構成する全ての条件が成立したときに通常モードからスリープモードに動作モードを切り替えるように構成されている。
【００４３】
印刷終了条件は、ユーザが印刷指示した印刷データの画像記録機構１１による印刷が全て終了したことを示す条件である。なお、「ユーザが印刷指示した印刷データ」には、複合機１のメモリ５２に記憶されている印刷データのみならず、複合機１に対して未だ送信されていない、携帯電話１００のメモリ１２２に記憶された印刷データも含む。
【００４４】
読取終了条件は、画像読取機構１２による原稿の読取が終了したことを示す条件である。ネットワーク条件は、携帯電話１００などの外部装置との間で、印刷データなどのデータの送受信を行っておらず、外部装置との間の単位時間当たりの通信量が所定値未満であることを示す条件である。例えば、複合機１と携帯電話１００との間でＮＦＣ通信にてデータの送受信が行われている場合には、当該ネットワーク条件は成立していない。
【００４５】
一方で、スリープモードから通常モードに切り替えるためのスリープ解除条件は複数ある。ＣＰＵ５１は、スリープ解除条件の何れか１つでも成立したときに、スリープモードから通常モードに動作モードを切り替えるように構成されている。本実施形態では、携帯端末２００との間でＮＦＣ通信が新たに確立されたこと、外部装置との間での単位時間当たりの通信量が所定値以上となったこと、及び、ユーザインターフェース１３を介したユーザの入力を受け付けたとき、それぞれが、スリープ解除条件として設定されている。従って、ＮＦＣ  Ｉ／Ｆ１７の通信可能距離外にある携帯端末２００が通信可能距離内に移動して、複合機１との間でＮＦＣ通信が新たに確立されたときに、ＣＰＵ５１は、スリープモードから通常モードに動作モードを切り替える。
【００４６】
次に、ＮＦＣ  Ｉ／Ｆ１７によって実行されるポーリング動作及びリッスン動作について説明する。なお、このポーリング動作及びリッスン動作は、携帯電話１００のＮＦＣ  Ｉ／Ｆ１０７で実行されるポーリング動作及びリッスン動作についても該当する内容である。
【００４７】
ポーリング動作は、通信可能距離内にあるＮＦＣ機器を検出するための動作である。このポーリング動作では、通信可能距離内にあるＮＦＣ機器を検出するためのポーリング信号（装置側ポーリング信号）を出力する出力動作、及び、当該ポーリング信号に対するＮＦＣ機器からのレスポンス信号の受信を所定時間監視する監視動作を１セットとして、この１セットの動作が所定回数繰り返される。
【００４８】
ＮＦＣ  Ｉ／Ｆ１７が、ポーリング動作中に、通信相手となるＮＦＣ機器からレスポンス信号を受信した場合には、これ以降のＮＦＣ通信を確立するための各処理をＣＰＵ５１に引き継ぐ。例えば、ＣＰＵ５１は、通信相手となるＮＦＣ機器がＰ２Ｐモード及びＣＥモードの何れのモードで起動されているのかを示す情報をＮＦＣ  Ｉ／Ｆ１７から受け取り、この情報に基づいて、Ｐ２Ｐモード及びＲ／Ｗモードの何れかのモードを起動して、ＮＦＣ通信の通信リンクを確立する。この後、ＣＰＵ５１は、通信相手となるＮＦＣ機器との間で、確立した通信リンクを通じてデータの送受信を行った後、通信リンクを切断する。
【００４９】
リッスン動作は、ＮＦＣ機器からのポーリング信号（端末側ポーリング信号）の受信を監視し、ポーリング信号を受信した場合に、ポーリング信号の送信元のＮＦＣ機器に対してレスポンス信号を出力する動作である。
【００５０】
ＮＦＣ  Ｉ／Ｆ１７が、リッスン動作中にＮＦＣ機器からポーリング信号を受信した場合には、レスポンス信号を送信した後に、これ以降のＮＦＣ通信を確立するための各処理をＣＰＵ５１に引き継ぐ。例えば、ＣＰＵ５１は、通信相手のＮＦＣ機器がＰ２Ｐモード及びＲ／Ｗモードの何れかのモードで起動されているかを示す情報を、当該通信相手のＮＦＣ機器から受信する。そして、ＣＰＵ５１は、この情報に基づいて、Ｐ２Ｐモード及びＣＥモードの何れかのモードを起動して、ＮＦＣ通信の通信リンクを確立する。この後、ＣＰＵ５１は、通信相手となるＮＦＣ機器との間で、確立した通信リンクを通じてデータの送受信を行った後、通信リンクを切断する。
【００５１】
ここで、先に少し触れたように、本実施形態では、複合機１と、携帯電話１００やセキュア印刷用のＩＣカード１５０との間でＮＦＣ通信が確立されたことを契機として、複合機１にて印刷処理を実行する構成にされている。即ち、携帯電話１００やセキュア印刷用のＩＣカード１５０を、ユーザがＮＦＣ  Ｉ／Ｆ１７のアンテナ２３に近接させる行為が、ユーザの複合機１に対する印刷指示となっている。
【００５２】
このため、携帯端末２００がＮＦＣ  Ｉ／Ｆ１７の通信可能距離内に放置されると、携帯端末２００と複合機１との間でＮＦＣ通信が切断されたとしても、再び、ＮＦＣ通信が確立される場合があり、ＣＰＵ５１は、ユーザから新たな印刷指示を受けたと判断する虞がある。その結果として、スリープ条件の１つである上記印刷終了条件が成立しないことになるため、ＣＰＵ５１は、複合機１の動作モードを通常モードからスリープモードに切り替えることができない。
【００５３】
ここで、ユーザがＩＣカード１５０をＮＦＣ  Ｉ／Ｆ１７のアンテナ２３に近接させることで実行されるセキュア印刷の場合には、印刷対象となる印刷データは、複合機１のメモリ５２に記憶された印刷データである。従って、複合機１のメモリ５２に記憶された、当該ＩＣカード１５０に係るユーザ認証情報に対応付けられた印刷データの印刷処理が終了した時点で、ＣＰＵ５１は、印刷終了条件が成立したと判断することができる。
【００５４】
これに対して、ユーザが携帯電話１００をＮＦＣ  Ｉ／Ｆ１７のアンテナ２３に近接させることで実行される印刷の場合には、印刷対象となる印刷データは、携帯電話１００のメモリ１２２に記憶された印刷データである。このため、ユーザからの印刷指示に基づく或る印刷データの印刷が終了したとしても、ユーザがメモリ１２２に記憶された他の印刷データの印刷を希望している場合もあり得るため、ＣＰＵ５１は、印刷終了条件が成立したか否かを判断することができない。つまり、ＮＦＣ  Ｉ／Ｆ１７の通信可能距離内に放置された携帯電話１００との間でＮＦＣ通信が再度確立したときに、ＣＰＵ５１は、この通信の確立が、ユーザからの新たな印刷指示であるのか、携帯電話１００が放置されたことによるものなのかを区別することができない。
【００５５】
そこで、本実施形態では、ＣＰＵ５１は、携帯電話１００と複合機１との間でＮＦＣ通信が確立したことを契機とした印刷が行われた後においても、当該携帯電話１００がＮＦＣ  Ｉ／Ｆ１７の通信可能距離内にある場合には、携帯電話１００のメモリ１２２に新たに印刷すべき印刷データがあるか否かを、ユーザインターフェース１３を介してユーザに問い合せる。そして、この問い合せにおけるユーザの対応に応じて、ＣＰＵ５１は、印刷終了条件が成立したと判断する判断タイミングを異ならせている。具体的には、新たに印刷を行わせる印刷データがメモリ１２２に記憶されていないとするユーザからの入力を受け付けた場合には、ＣＰＵ５１は、その直後に印刷終了条件が成立したと判断する。
【００５６】
一方で、新たに印刷を行わせる印刷データがメモリ１２２に記憶されているとするユーザからの入力を受け付けた場合には、ＣＰＵ５１は、当該印刷データを携帯電話１００から受信した後に画像記録機構１１に印刷を実行させる。そして、この印刷後において、携帯電話１００がＮＦＣ  Ｉ／Ｆ１７の通信可能距離外にある場合には印刷終了条件が成立したと判断する一方で、携帯電話１００が通信可能距離内にある場合には、上記の問い合せを再び行う。
【００５７】
また、新たに印刷すべき印刷データがあるか否かをユーザに問い合せたにも関わらず、ユーザからの入力を第２所定期間の間受け付けなかった場合には、携帯電話１００が放置されている可能性が高いため、ＣＰＵ５１は印刷終了条件が成立したと判断する。このように、本実施形態では、新たに印刷を行わせる印刷データがメモリ１２２に記憶されていないとするユーザからの入力を受け付けた場合には、ＣＰＵ５１は、ユーザが他の対応をした場合と比べて早く印刷終了条件が成立したと判断することになる。
【００５８】
以上により、本実施形態では、携帯電話１００及びＩＣカード１５０それぞれに応じて、適切なタイミングで印刷終了条件が成立したと判断することができるので、その結果として、動作モードをスリープモードに適切なタイミングで切り替えることが可能となる。
【００５９】
また、本実施形態では、印刷終了条件が成立したと判断した以降においても、携帯端末２００がＮＦＣ  Ｉ／Ｆ１７の通信可能距離内に放置されている場合には、ＣＰＵ５１は、当該携帯端末２００との間ではＮＦＣ通信を確立せずに、当該携帯端末２００が通信可能距離外に移動したか否かのみを検出する。具体的には、放置された携帯端末２００が携帯電話１００の場合には、当該携帯電話１００はポーリング信号を出力する端末であるため、ＮＦＣ  Ｉ／Ｆ１７に、ポーリング信号を出力させずに、携帯電話１００から出力されるポーリング信号の受信が継続しているか否かの監視のみをさせる。そして、このポーリング信号の受信が継続しているか否かに基づいて、ＣＰＵ５１は、携帯端末２００が通信可能距離外に移動したか否かを検出する。このように、携帯端末２００が通信可能距離外に移動したか否かの検出を、ポーリング信号を出力させずに行うことで、複合機１の省電力化を図ることができる。
【００６０】
また、放置された携帯端末２００がＩＣカード１５０の場合には、ＮＦＣ  Ｉ／Ｆ１７からポーリング信号を出力させ、そのポーリング信号に対するＩＣカード１５０からの反射波（反射信号）の有無に基づいて、ＩＣカード１５０が通信可能距離外に移動したか否かを検出する。なお、このとき、ＩＣカード１５０とＮＦＣ  Ｉ／Ｆ１７とは近接した状態であり、また、反射波の有無のみを検知すればよいため、ＮＦＣ  Ｉ／Ｆ１７から出力するポーリング信号の電波強度は、通常のポーリング動作のときの電波強度（以下、第１電波強度）よりも弱い電波強度（第２電波強度）に設定されている。これにより、複合機１の省電力化を図ることができる。
【００６１】
なお、携帯端末２００がＮＦＣ  Ｉ／Ｆ１７の通信可能距離外に移動したことを検出した場合には、それ以降は新たに通信可能距離内に侵入した携帯端末２００を検出すべく、通常のポーリング動作が実行される。
【００６２】
続いて、メモリ５２に記録されたプログラムに従ってＣＰＵ５１が実行する処理の動作の一例について、図４〜７を参照しつつ説明する。なお、以下では、説明の便宜上、ＮＦＣ通信に関して、携帯電話１００はＲ／Ｗモードで動作し、ＩＣカード１５０はＣＥモードで動作しているものとする。また、ＣＰＵ５１が、印刷終了条件が成立したと判断したときに、携帯端末２００がＮＦＣ  Ｉ／Ｆ１７の通信可能距離内にある場合には、動作モードがスリープモードに切り替わるまで、当該携帯端末が通信可能距離内に留まっているものとする。
【００６３】
まず、図４に示すように、複合機１が起動されると（Ａ１）、ＣＰＵ５１は、ＮＦＣ  Ｉ／Ｆ１７に、ポーリング動作及びリッスン動作を開始させる（Ａ２）。このときのポーリング動作におけるポーリング信号の電波強度は第１電波強度である。
【００６４】
その後、ＣＰＵ５１は、ＮＦＣ  Ｉ／Ｆ１７がリッスン動作中に携帯端末２００からポーリング動作を受信したか否かを判断する（Ａ３）。ポーリング信号を受信したと判断した場合（Ａ３：ＹＥＳ）には、ＣＰＵ５１は、携帯端末２００がＮＦＣ  Ｉ／Ｆ１７の通信可能距離外から通信可能距離内に侵入したことを検出したとし、且つ、その携帯端末２００が、携帯電話１００であると判断する（Ａ４）。その後、ＣＰＵ５１は、メモリ５２に記憶されたＣＥプログラムに従って、当該携帯電話１００との間でＮＦＣ通信を確立する（Ａ５）。このＡ５の処理が終了すると、後で図６を参照して説明するＣ１の処理に移る。
【００６５】
一方で、Ａ３の処理において、ポーリング信号を受信していないと判断した場合（Ａ３：ＮＯ）には、ＣＰＵ５１は、ＮＦＣ  Ｉ／Ｆ１７がポーリング動作中に携帯端末２００からレスポンス信号を受信したか否かを判断する（Ａ６）。レスポンス信号を受信していないと判断した場合（Ａ６：ＮＯ）には、Ａ３の処理に戻る。一方で、レスポンス信号を受信したと判断した場合（Ａ６：ＹＥＳ）には、ＣＰＵ５１は、携帯端末２００がＮＦＣ  Ｉ／Ｆ１７の通信可能距離外から通信可能距離内に侵入したことを検出したとして、メモリ５２に記憶されたＲ／Ｗプログラムに従って、当該携帯端末との間でＮＦＣ通信を確立する（Ａ７）。
【００６６】
次に、ＣＰＵ５１は、このＮＦＣ通信を通じて、携帯端末２００の識別情報等を受信することで、当該携帯端末２００が携帯電話１００であるかＩＣカード１５０であるかを判断する（Ａ８）。変形例として、自らの電力でレスポンス信号を出力するアクティブタイプの携帯電話１００と、ポーリング信号の反射波をレスポンス信号として出力するパッシブタイプのＩＣカード１５０とでは、ポーリング信号を受信してからレスポンス信号を出力するまでの時間が異なる。このため、ＣＰＵ５１は、ポーリング信号を出力してからレスポンス信号を受信するまでの時間に基づいて、携帯端末２００が携帯電話１００であるかＩＣカード１５０であるかを判断してもよい。
【００６７】
Ａ８の処理で、携帯端末２００が携帯電話１００であると判断した場合（Ａ８：ＹＥＳ）には、後で図６を参照して説明するＣ１の処理に移る。一方で、携帯端末２００がＩＣカード１５０であると判断した場合（Ａ８：ＮＯ）には、図５を参照して説明するＢ１の処理に移る。
【００６８】
次に、図５を参照して、ＣＰＵ５１が実行するＢ１の処理からの一連の動作について説明する。Ｂ１の処理では、ＣＰＵ５１は、ＮＦＣ通信にてＩＣカード１５０から認証情報等の情報を受信し、この情報に基づいて、ＩＣカード１５０が、セキュア印刷用のＩＣカードであるか管理者用のＩＣカードであるかを判断する。セキュア印刷用のＩＣカードであると判断した場合（Ｂ１：ＹＥＳ）には、当該ＩＣカードから受信したユーザ認証情報と対応付けられた印刷データがメモリ５２に記憶されているか否かを判断する（Ｂ２）。ユーザ認証情報と対応付けられた印刷データがメモリ５２に記憶されていないと判断した場合（Ｂ２：ＮＯ）には、ＣＰＵ５１は、印刷終了条件が成立したと判断して（Ｂ９）、Ｂ１０の処理に移る。一方で、ユーザ認証情報と対応付けられた印刷データがメモリ５２に記憶されていると判断した場合（Ｂ２：ＹＥＳ）には、ＣＰＵ５１は、当該ユーザ認証情報と対応付けられた全ての印刷データに係る記録媒体への印刷を行うよう画像記録機構１１を制御して印刷処理を実行する（Ｂ３）。この印刷処理の後、ＣＰＵ５１は、印刷終了条件が成立したと判断して（Ｂ９）、Ｂ１０の処理に移る。
【００６９】
一方、Ｂ１の処理で、ＩＣカード１５０が管理者用のＩＣカードであると判断した場合（Ｂ１；ＮＯ）には、ＣＰＵ５１は、メモリ５２に記憶された管理者用設定内容における、ユーザインターフェース１３を介したユーザ管理者）からの入力による変更を許可する（Ｂ４）。この後、ＣＰＵ５１は、ユーザインターフェース１３を介してユーザ（からの入力を受け付けたか否かを判断する（Ｂ５）。ユーザからの入力を受け付けたと判断した場合（Ｂ５：ＹＥＳ）には、ＣＰＵ５１は、その入力内容に応じて管理者用設定内容を変更する（Ｂ６）。この後、ＣＰＵ５１は、メモリ５２に記憶された管理者用設定内容の変更を禁止し（Ｂ８）、印刷終了条件が成立したと判断して（Ｂ９）、Ｂ１０の処理に移る。
【００７０】
一方で、Ｂ５の処理で、ユーザからの入力を受け付けていないと判断した場合（Ｂ５：ＮＯ）には、ＣＰＵ５１は、Ｂ４の処理の後、ユーザインターフェース１３を介したユーザからの入力を受け付けていない期間が第１所定期間以上継続しているか否かを判断する（Ｂ７）。入力を受け付けていない期間が第１所定期間未満と判断した場合（Ｂ７：ＮＯ）には、Ｂ５の処理に戻る。一方で、入力を受け付けていない期間が第１所定期間以上継続したと判断した場合（Ｂ７：ＹＥＳ）には、ＣＰＵ５１は、メモリ５２に記憶された管理者用設定内容の変更を禁止し（Ｂ８）、印刷終了条件が成立したと判断して（Ｂ９）、Ｂ１０の処理に移る。
【００７１】
Ｂ１０の処理では、ＣＰＵ５１は、ＮＦＣ  Ｉ／Ｆ１７に、ポーリング信号を出力させ、その反射波の受信の有無に基づいて、ＩＣカード１５０がＮＦＣ  Ｉ／Ｆ１７の通信可能距離内に未だあるか否かを判断する。ＩＣカード１５０が通信可能距離内にはないと判断した場合（Ｂ１０：ＮＯ）には、Ｂ１３の処理に移る。
【００７２】
一方で、ＩＣカード１５０が通信可能距離内にあると判断した場合（Ｂ１０：ＹＥＳ）には、ＣＰＵ５１は、ＩＣカード１５０が放置されていることを示す警告画面をディスプレイ１３ｂに表示させる（Ｂ１１）。この後、ＣＰＵ５１は、規定時間経過後に、再度、ポーリング信号を出力させ、その反射波を受信の有無に基づいて、ＩＣカード１５０がＮＦＣ  Ｉ／Ｆ１７の通信可能距離内に未だあるか否かを判断する（Ｂ１２）。ＩＣカード１５０が通信可能距離内にはないと判断した場合（Ｂ１２：ＮＯ）には、Ｂ１３の処理に移る。
【００７３】
Ｂ１３の処理では、ＣＰＵ５１は、ＮＦＣ  Ｉ／Ｆ１７に、ポーリング動作及びリッスン動作を行わせる。この後、ＣＰＵ５１は、スリープ条件が成立したか否かを判断し（Ｂ１４）、スリープ条件が成立したと判断した場合（Ｂ１４：ＹＥＳ）には、ＣＰＵ５１は複合機１の動作モードを通常モードからスリープモードに切り替える（Ｂ１５）。この後、後で図７を参照して説明するＤ６の処理に移る。
【００７４】
一方で、Ｂ１２の処理で、ＩＣカード１５０が通信可能距離内に未だあると判断した場合（Ｂ１２：ＹＥＳ）には、ＣＰＵ５１は、ＮＦＣ  Ｉ／Ｆ１７に、第２電波強度でポーリング信号を出力させ、その反射波の受信の有無に基づいて、ＩＣカード１５０が通信可能距離外に移動したか否かを監視する監視処理を開始する（Ｂ１６）。次に、ＣＰＵ５１は、スリープ条件が成立したか否かを判断し（Ｂ１７）、スリープ条件が成立したと判断した場合（Ｂ１７：ＹＥＳ）には、ＣＰＵ５１は複合機１の動作モードを通常モードからスリープモードに切り替える（Ｂ１８）。この後、ＣＰＵ５１は、後で図７を参照して説明するＤ４の処理に移る。
【００７５】
次に、図６を参照して、ＣＰＵ５１が実行するＣ１の処理からの一連の動作について説明する。Ｃ１の処理では、ＣＰＵ５１は、ＮＦＣ通信にて携帯電話１００との間で送受信した、ＷＦＤ通信を確立するための接続情報に基づいてＷＦＤ通信を確立する。この後、ＣＰＵ５１は、携帯電話１００のメモリ１２２に記憶されている、タッチパネル１０２によりユーザにより選択された印刷データをＷＦＤ通信にて受信する（Ｃ２）。この後、ＣＰＵ５１は、受信した印刷データに係る印刷を行うよう画像記録機構１１を制御して印刷処理を実行する（Ｃ３）。この印刷処理の後、ＣＰＵ５１は、ＮＦＣ  Ｉ／Ｆ１７に、ポーリング信号を出力させ、そのレスポンス信号の受信の有無に基づいて、携帯電話１００がＮＦＣ  Ｉ／Ｆ１７の通信可能距離内に未だあるか否かを判断する（Ｃ４）。携帯電話１００がＮＦＣ  Ｉ／Ｆ１７の通信可能距離内にないと判断した場合（Ｃ４：ＮＯ）には、ＣＰＵ５１は、印刷終了条件が成立したと判断し（Ｃ１３）、Ｂ１３〜Ｂ１５の処理と略同様な、Ｃ１４〜Ｃ１６の処理を実行した後、後で図７を参照して説明するＤ６の処理に移る。
【００７６】
一方で、Ｃ４の処理で、携帯電話１００がＮＦＣ  Ｉ／Ｆ１７の通信可能距離内に未だあると判断した場合（Ｃ４：ＹＥＳ）には、ＣＰＵ５１は、新たに印刷を行わせる印刷データがメモリ１２２に記憶されているか否かをユーザに問い合わせる問合画面をディスプレイ１３ｂに表示させる（Ｃ５）。この後、ＣＰＵ５１は、操作キー１３ａを介したユーザからの入力を受け付けたか否かを判断する（Ｃ６）。入力を受け付けたと判断した場合（Ｃ６：ＹＥＳ）、ＣＰＵ５１は、当該入力が、新たに印刷を行わせる印刷データがメモリ１２２に記憶されているとする入力であるか否かを判断する（Ｃ７）。新たに印刷を行わせる印刷データがメモリ１２２に記憶されているとする入力であると判断した場合（Ｃ７：ＹＥＳ）には、Ｃ２の処理に戻り、新たに印刷を行わせる印刷データを携帯電話１００から受信する。
【００７７】
一方で、Ｃ７の処理で、新たに印刷を行わせる印刷データがメモリ１２２に記憶されていないとする入力であると判断した場合（Ｃ７：ＮＯ）には、ＣＰＵ５１は、印刷終了条件が成立したと判断して（Ｃ９）、Ｃ１０の処理に移る。
【００７８】
また、Ｃ６の処理で、操作キー１３ａを介したユーザからの入力を受け付けていないと判断した場合（Ｃ６：ＮＯ）には、ＣＰＵ５１は、ディスプレイ１３ｂに問合画面を表示した時点から第２所定期間経過したか否かを判断する（Ｃ８）。第２所定期間経過していないと判断した場合（Ｃ８：ＮＯ）には、Ｃ６の処理に戻る。一方で、第２所定期間経過したと判断した場合（Ｃ８：ＹＥＳ）には、ＣＰＵ５１は、印刷終了条件が成立したと判断して（Ｃ９）、Ｃ１０の処理に移る。
【００７９】
Ｃ１０の処理では、ＣＰＵ５１は、ＮＦＣ  Ｉ／Ｆ１７にポーリング信号の出力を停止させ、且つ、携帯電話１００からのポーリング信号の受信の継続の有無に基づいて、携帯電話１００が通信可能距離外に移動したか否かを監視する監視処理を開始する。この後、ＣＰＵ５１は、スリープ条件が成立したか否かを判断し（Ｃ１１）、スリープ条件が成立したと判断した場合（Ｃ１１：ＹＥＳ）には、ＣＰＵ５１は複合機１の動作モードを通常モードからスリープモードに切り替える（Ｃ１２）。この後、ＣＰＵ５１は、後で図７を参照して説明するＤ１の処理に移る。
【００８０】
次に、図７を参照して、ＣＰＵ５１が実行するＤ１の処理からの一連の動作について説明する。Ｄ１の処理では。ＣＰＵ５１は、携帯電話１００からのポーリング信号を継続して受信しているか否かを判断する。そして、ポーリング信号の受信が継続していると判断した場合（Ｄ１：ＹＥＳ）には、ＣＰＵ５１は、携帯電話１００が通信可能距離内に未だあると判断し、スリープ解除条件の何れかが成立したか否かを判断する（Ｄ２）。スリープ解除条件の何れも成立していないと判断した場合（Ｄ２：ＮＯ）には、Ｄ１の処理に戻る。一方で、スリープ解除条件の何れかが成立したと判断した場合（Ｄ２：ＹＥＳ）には、ＣＰＵ５１は、複合機１の動作モードをスリープモードから通常モードに切り替えて（Ｄ３）、本処理を終了する。
【００８１】
一方で、Ｄ１の処理で、携帯電話１００からのポーリング信号の受信が途切れたと判断した場合（Ｄ１：ＮＯ）には、ＣＰＵ５１は、携帯電話１００が通信可能距離外に移動したことを検出したとして、ＮＦＣ  Ｉ／Ｆ１７に、ポーリング動作及びリッスン動作をさせる（Ｄ５）。このときのポーリング動作におけるポーリング信号の電波強度は第１電波強度である。この後、Ｄ６の処理に移る。
【００８２】
Ｂ１８の処理の後に実行されるＤ４の処理では、ＣＰＵ５１は、ＮＦＣ  Ｉ／Ｆ１７が、ポーリング信号に対する反射波を受信しているか否かを判断する。ポーリング信号に対する反射波を受信していないと判断した場合（Ｄ４：ＮＯ）には、ＣＰＵ５１は、ＩＣカード１５０が通信可能距離外に移動したことを検出したとして、上述のＤ５の処理に移る。一方で、ポーリング信号に対する反射波を受信していると判断した場合（Ｄ４：ＹＥＳ）には、ＣＰＵ５１は、ＩＣカード１５０が通信可能距離内に未だにあると判断し、スリープ解除条件の何れかが成立したか否かを判断する（Ｄ７）。スリープ解除条件の何れも成立していないと判断した場合（Ｄ７：ＮＯ）には、Ｄ４の処理に戻る。一方で、スリープ解除条件の何れかが成立したと判断した場合（Ｄ７：ＹＥＳ）には、ＣＰＵ５１は、複合機１の動作モードをスリープモードから通常モードに切り替えて（Ｄ３）、本処理を終了する。
【００８３】
Ｂ１５の処理の後、Ｃ１５の処理の後、又は、Ｄ５の処理の後に実行されるＤ６の処理では、スリープ解除条件の何れかが成立したか否かを判断する。そして、スリープ解除条件の何れかが成立したと判断した場合（Ｄ６：ＹＥＳ）には、ＣＰＵ５１は、複合機１の動作モードをスリープモードから通常モードに切り替えて（Ｄ３）、本処理を終了する。
【００８４】
以上、本実施形態によると、携帯端末２００のタイプがアクティブタイプ及びパッシブタイプの何れにおいても、スリープ条件を構成する１つの条件である印刷終了条件が成立したことを適切なタイミングで判断することができ、その結果として、動作モードをスリープモードに適切なタイミングで切り替えることが可能となる。
【００８５】
また、管理者用のＩＣカード１５０が放置されていた場合、管理者権限を有さないユーザも管理者用設定内容を変更することが可能となるため、セキュリティ上において好ましくない。しかしながら、本実施形態では、ユーザインターフェース１３を介したユーザからの入力を受け付けていない期間が第１所定期間以上継続した場合には、管理者用設定内容の変更が禁止されるため、セキュリティを向上させることができる。
【００８６】
以上、本発明の好適な実施形態について説明したが、本発明は上述の実施形態に限られるものではなく、特許請求の範囲に記載した限りにおいて様々な変更が可能なものである。以下、本実施形態の変形例について説明する。
印刷終了条件が成立したと判断した以降における、携帯端末２００の通信可能距離内から通信可能距離外への移動検出については、第１電波強度のポーリング信号を出力し、そのレスポンス信号の受信の有無に基づいて行ってもよい。また、携帯端末２００の通信可能距離内から通信可能距離外への移動検出に関しては、携帯端末２００との間でＮＦＣ通信が確立された直後から行うように構成されていてもよい。また、スリープ条件は、印刷終了条件のみから構成されていてもよい。
【００８７】
ＩＣカード１５０のメモリ１５１に、管理者認証情報とユーザ認証情報の両方が記憶されており、セキュア印刷用のＩＣカードに管理者権限が付与されていてもよい。この場合、ユーザ認証情報と管理者認証情報が共通のものであってもよい。また、複合機１のユーザインターフェース１３はタッチパネルであってもよい。また、ユーザインターフェース１３は、ユーザとの間で音声により情報の入出力を行うものであってもよい。
【００８８】
また、上述の実施形態では、近距離無線通信はＮＦＣ通信であったが、特にこれに限定されるものではなく、ＲＦＩＤ（Radio Frequency Identification）やトランスファージェット（登録商標）等の規格の通信方式による近距離無線通信であってもよい。また、携帯電話１００から複合機１への印刷データの送信はＷＦＤ通信により行われていたが、特にこれに限定されるものではなく、他の通信方式により送信されるように構成されていてもよく、トランスファージェットなどの近距離無線通信により印刷データが送信されるように構成されていてもよい。
【符号の説明】
【００８９】
１  複合機（印刷装置）
１１  画像記録機構（印刷部）
１７  ＮＦＣインターフェース（通信部の一部）
５１  ＣＰＵ（制御部）
５２  メモリ（装置側記憶部）
１００  携帯電話（第１端末）
１２２  メモリ（端末側記憶部）
１５０  ＩＣカード（第２端末）
【図１】
0006701886.tif 000002
【図２】
0006701886.tif 000003
【図３】
0006701886.tif 000004
【図４】
0006701886.tif 000005
【図５】
0006701886.tif 000006
【図６】
0006701886.tif 000007
【図７】
0006701886.tif 000008